【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  非周期構造を有する長手方向格子であって、前記格子が、選択された応答特性を有し、また、前記構造内の反復ユニットセルのいずれもが、前記選択された応答特性に関連する特性長よりも相当に長く、前記非周期構造が、少なくとも２つの異種の離散格子要素を備えることを特徴とする格子。
【請求項２】  ５つ以上の格子要素を備えることを特徴とする請求項１に記載の格子。
【請求項３】  ２０以上の格子要素を備えることを特徴とする請求項２に記載の格子。
【請求項４】  実数成分を有しないか又は実数成分を無視することができ、或いは、虚数成分を有しないかまたは虚数成分を無視することができる材料からなることを特徴とする請求項１ないし３のいずれかに記載の格子。
【請求項５】  前記選択された応答特性がスペクトル振幅応答であり、前記特性長がスペクトル振幅カットオフ波長であることを特徴とする請求項１ないし４のいずれかに記載の格子。
【請求項６】  前記スペクトル振幅応答が少なくとも一つのバンドギャップを含むことを特徴とする請求項５に記載の格子。
【請求項７】  前記スペクトル振幅応答が少なくとも２つのバンドギャップを含むことを特徴とする請求項６に記載の格子。
【請求項８】  前記バンドギャップがフォトニックバンドギャップであることを特徴とする請求項６または７に記載の格子。
【請求項９】  ローパスフィルタスペクトル振幅応答を有することを特徴とする請求項５に記載の格子。
【請求項１０】  バンドパスフィルタスペクトル振幅応答を有することを特徴とする請求項５に記載の格子。
【請求項１１】  ノッチフィルタスペクトル振幅応答を有することを特徴とする請求項５に記載の格子。
【請求項１２】  ハイパスフィルタスペクトル振幅応答を有することを特徴とする請求項５に記載の格子。
【請求項１３】  前記スペクトル振幅応答がアポダイズドバンドパスフィルタを備えることを特徴とする請求項５に記載の格子。
【請求項１４】  前記スペクトル振幅応答が、パスバンド平坦化バンドパスフィルタを備えることを特徴とする請求項５に記載の格子。
【請求項１５】  前記スペクトル振幅応答が櫛型フィルタを備えることを特徴とする請求項５に記載の格子。
【請求項１６】  前記スペクトル振幅応答がレジメンテッドバンドパスフィルタを備えることを特徴とする請求項５に記載の格子。
【請求項１７】  前記スペクトル振幅応答が不均一応答セグメントバンドパスフィルタを備えることを特徴とする請求項５に記載の格子。
【請求項１８】  線形のスペクトル位相応答を有することを特徴とする請求項１ないし１７のいずれかに記載の格子。
【請求項１９】  非線形のスペクトル位相応答を有することを特徴とする請求項１ないし１８のいずれかに記載の格子。
【請求項２０】  位相補償に好適することを特徴とする請求項１ないし１９のいずれかに記載の格子。
【請求項２１】  単波長分散補償に好適することを特徴とする請求項１ないし２０のいずれかに記載の格子。
【請求項２２】  多重周波数分散補償に好適することを特徴とする請求項１ないし２１のいずれかに記載の格子。
【請求項２３】  前記スペクトル振幅応答が、請求項６ないし２２のいずれかに記載の応答特性を組み合わせたものを備えることを特徴とする請求項５に記載の格子。
【請求項２４】  非周期格子構造が２次元であることを特徴とする請求項１ないし２３のいずれかに記載の格子。
【請求項２５】  非周期格子構造が３次元であることを特徴とする請求項１ないし２４のいずれかに記載の格子。
【請求項２６】  請求項１ないし２５のいずれかに記載の格子を備えることを特徴とするフィルタ。
【請求項２７】  請求項１ないし２５のいずれかに記載の格子を備えることを特徴とする誘電性スタック。
【請求項２８】  特定波長で使用されると共に複数の層を備え、前記複数の層の少なくとも一つが、前記特定波長の４分の１の整数倍でない光学的厚さを有することを特徴とする請求項２７に記載の誘電性スタック。
【請求項２９】  屈折率を異にする２種類の層を備えることを特徴とする請求項２７または２８に記載の誘電性スタック。
【請求項３０】  複数の層を備え、前記複数の層の少なくとも３つの屈折率が互いに異なることを特徴とする請求項２７または２８に記載の誘電性スタック。
【請求項３１】  請求項１ないし２５のいずれかに記載の格子を備えることを特徴とする光ファイバブラッグ格子。
【請求項３２】  ２つの異なる屈折率を有する構造を備えることを特徴とする請求項３１に記載の光ファイバブラッグ格子。
【請求項３３】  互いに屈折率を異にする少なくとも３つのポイントを含む構造を備えることを特徴とする請求項３１に記載の光ファイバブラッグ格子。
【請求項３４】  請求項１ないし２５のいずれかに記載の格子を備えることを特徴とする導波路構造。
【請求項３５】  リブ付き導波路構造を備えることを特徴とする請求項３４に記載の導波路構造。
【請求項３６】  前記リブ付き導波路構造が、有効屈折率を異にする２種類の領域を備えることを特徴とする請求項３５に記載の導波路構造。
【請求項３７】  前記リブ付き導波路構造が、屈折率を異にする少なくとも３種類の領域を備えることを特徴とする請求項３５に記載の導波路構造。
【請求項３８】  ドープ導波路構造であることを特徴とする請求項３４に記載の導波路構造。
【請求項３９】  動的およびまたは再構成可能な構造であり、関連パラメータの大きさが前記格子の少なくとも一つのポイントで変更可能なように前記格子が配置されていることを特徴とする請求項３４ないし３８のいずれかに記載の導波路構造。
【請求項４０】  前記再構成が熱光学効果により達成されることを特徴とする請求項３９に記載の導波路構造。
【請求項４１】  前記再構成が電気光学効果により達成されることを特徴とする請求項３９に記載の導波路構造。
【請求項４２】  前記効果がインターデジテーテッド電極によることを特徴とする請求項４０または４１に記載の導波路構造。
【請求項４３】  前記効果が櫛型電極によることを特徴とする請求項４０または４１に記載の導波路構造。
【請求項４４】  前記格子が前記導波路構造の長さに沿うことを特徴とする請求項３４ないし４３のいずれかに記載の導波路構造。
【請求項４５】  前記格子が導波領域内にあることを特徴とする請求項３４ないし４４のいずれかに記載の導波路構造。
【請求項４６】  前記導波路構造が、光ファイバ、マイクロウエーブストリップ線路、シリコン平面光波回路（ＰＬＣ）上のシリカ、シリカＰＬＣ上のシリコン、半導体増幅器、半導体レーザのいずれかであることを特徴とする請求項３４ないし４５のいずれかに記載の導波路構造。
【請求項４７】  前記構造が誘電体材料内にあることを特徴とする請求項１ないし２５のいずれかに記載の格子。
【請求項４８】  前記構造が屈折率材料内にあることを特徴とする請求項４７に記載の格子。
【請求項４９】  前記構造が透磁性材料内にあることを特徴とする請求項１ないし２５のいずれかに記載の格子。
【請求項５０】  前記構造が磁気性状内にあることを特徴とする請求項１ないし２５のいずれかに記載の格子。
【請求項５１】  前記磁気性状が、磁気双極子の配向およびまたは強さであることを特徴とする請求項５０に記載の格子。
【請求項５２】  請求項１ないし２５のいずれかに記載の格子を備え、前記格子を２つ以上の波長において光を準位相整合させるために用いることを特徴とする非周期分極非線形材料。
【請求項５３】  請求項１ないし２５のいずれかに記載の格子を備え、一つ以上の波長において光を抑制するために前記格子を用いることを特徴とする非周期分極非線形材料。
【請求項５４】  請求項５２または５３に記載の非線形材料を含むことを特徴とする非線形光ループミラー。
【請求項５５】  非周期分極半導体光増幅器を更に備えることを特徴とする請求項５４に記載の非線形光ループミラー。
【請求項５６】  請求項１ないし２５に記載の格子を含むことを特徴とする非線形光ループミラー。
【請求項５７】  前記格子が非周期分極半導体光増幅器を備えることを特徴とする請求項５６に記載の非線形光ループミラー。
【請求項５８】  請求項１ないし２５のいずれかに記載の格子を含むことを特徴とするマッハツェンダ干渉計。
【請求項５９】  各アームに前記格子を含むことを特徴とする請求項５８に記載のマッハツェンダ干渉計。
【請求項６０】  請求項５２または５３に記載の非周期分極非線形材料を含むことを特徴とする請求項５８に記載のマッハツェンダ干渉計。
【請求項６１】  請求項３４ないし４６のいずれかに記載の導波路構造を含むことを特徴とする請求項５８に記載のマッハツェンダ干渉計。
【請求項６２】  前記格子が集積光導波路に書き込まれていることを特徴とする請求項５８ないし６１のいずれかに記載のマッハツェンダ干渉計。
【請求項６３】  請求項１ないし２５のいずれかに記載の格子を含むことを特徴とする格子支援カップラ。
【請求項６４】  双方向性であることを特徴とする請求項６３に記載の格子支援カップラ。
【請求項６５】  プログラム可能であることを特徴とする請求項６４に記載の格子支援カップラ。
【請求項６６】  請求項５２または５３に記載の非周期分極非線形材料を含むことを特徴とする請求項６３ないし６５のいずれかに記載の格子支援カップラ。
【請求項６７】  請求項１ないし２５のいずれかに記載の格子を含むことを特徴とするレーザ。
【請求項６８】  前記格子がレーザ共振器内にあることを特徴とする請求項６７に記載のレーザ。
【請求項６９】  前記格子が波長選択ミラー内に備えられていることを特徴とする請求項６７に記載のレーザ。
【請求項７０】  前記ミラーが多波長でレーザをレーザ発振可能にすることを特徴とする請求項６９に記載のレーザ。
【請求項７１】  パルス型であることを特徴とする請求項６７ないし７０のいずれかに記載のレーザ。
【請求項７２】  モードロック可能であることを特徴とする請求項６７ないし７１のいずれかに記載のレーザ。
【請求項７３】  リングレーザであることを特徴とする請求項６７ないし７２のいずれに記載のレーザ。
【請求項７４】  半導体レーザであることを特徴とする請求項６７ないし７３のいずれかに記載のレーザ。
【請求項７５】  ＤＢＲ構造を有することを特徴とする請求項７４に記載のレーザ。
【請求項７６】  ＤＦＢ構造を有することを特徴とする請求項７４に記載のレーザ。
【請求項７７】  ＶＣＳＥＬ構造を有することを特徴とする請求項７４に記載のレーザ。
【請求項７８】  請求項１ないし２５のいずれかに記載の格子を備えた少なくとも一つのエンドミラーを備えることを特徴とするファブリ・ペロー共振器。
【請求項７９】  請求項７８に記載のファブリ・ペロー共振器を備えることを特徴とするラマン増幅器。
【請求項８０】  請求項７８に記載のファブリ・ペロー共振器を備えることを特徴とするラマンレーザ。
【請求項８１】  請求項１ないし２５のいずれかに記載の格子を備え、前記格子が電子バンドギャップ構造を修正することを特徴とする材料。
【請求項８２】  請求項１ないし２５のいずれかに記載の格子を含み、電子ポテンシャルの変化により、前記選択された応答特性を制御することを特徴とする材料。
【請求項８３】  前記電子ポテンシャルが古典散乱体を備えることを特徴とする請求項８２に記載の材料。
【請求項８４】  前記電子ポテンシャルが量子散乱体を備えることを特徴とする請求項８２に記載の材料。
【請求項８５】  前記散乱体が、格子または超格子の頂点に位置づけられていることを特徴とする請求項８３または８４に記載の材料。
【請求項８６】  前記超格子は電子的な超格子構造であることを特徴とする請求項８５に記載の材料。
【請求項８７】  前記超格子が超伝導超格子であることを特徴とする請求項８５に記載の材料。
【請求項８８】  前記選択された応答特性がバンドミニマムであることを特徴とする請求項８１ないし８７のいずれかに記載の材料。
【請求項８９】  前記選択された応答特性が有効質量であることを特徴とする請求項８１ないし８７のいずれかに記載の材料。
【請求項９０】  前記選択された応答特性が熱伝導率であることを特徴とする請求項８１ないし８７のいずれかに記載の材料。
【請求項９１】  前記選択された応答特性が誘電率であることを特徴とする請求項８１ないし８７のいずれかに記載の材料。
【請求項９２】  前記選択された応答特性が伝導率であることを特徴とする請求項８１ないし８７のいずれかに記載の材料。
【請求項９３】  前記選択された応答特性が透磁率であることを特徴とする請求項８１ないし８７のいずれかに記載の材料。
【請求項９４】  超伝導材料であることを特徴とする請求項８１ないし９３のいずれかに記載の材料。
【請求項９５】  非線形媒体内または非線形媒体上に設けられて非線形効果を促進することを特徴とする請求項１ないし２５のいずれかに記載の格子。
【請求項９６】  非線形媒体内または非線形媒体上に設けられるものであって、前記選択された応答特性が少なくとも２つの波長間での位相整合であり、また、位相整合した波長の２つの伝搬定数間の差をδβとしたとき、空気中で測定される光路長が２π／δβであることを特徴とする請求項１ないし２５のいずれかに記載の格子。
【請求項９７】  波長変換、信号時間再調節、信号再生成、パラメトリック増幅、２次または３次非線形効果（例えば２次または３次調波発生あるいはカー効果）を含む応用、あるいはパラメトリック発振器のいずれかに請求項９５または９６の格子を用いることを特徴とする格子の使用方法。
【請求項９８】  応答特性を選択し、前記選択した応答特性に近い応答特性を有する格子構成を決定する最適化アルゴリズムを用いるものであって、前記格子が非周期的であり、前記格子の構造内の反復ユニットセルのいずれもが前記選択した応答特性に関連する特性長より相当に長いことを特徴とする長手方向格子の製造方法。
【請求項９９】  前記格子構成を、最適化中に変化させることを特徴とする請求項９８に記載の方法。
【請求項１００】  前記格子の要素を直接に且つ個々に変化させることを特徴とする請求項９８または９９に記載の方法。
【請求項１０１】  最適化中、前記格子の応答特性が、近似的には最適化中の格子構成のフーリエ変換をとり、或いは前記フーリエ変換から導かれることを特徴とする請求項９８ないし１００のいずれかに記載の方法。
【請求項１０２】  前記選択した応答特性および前記フーリエ変換またはこれから導かれた関数からコスト関数を演算することを特徴とする請求項１０１に記載の方法。
【請求項１０３】  前記格子構成のフーリエ変換を最適化中に評価して、前記フーリエ変換が前記選択した応答特性と異なるか或いはどの様に異なるのかを確かめることを特徴とする請求項９８ないし１０２のいずれかに記載の方法。
【請求項１０４】  前記最適化アルゴリズムがシミュレーテッドアニーリングであることを特徴とする請求項９８ないし１０３のいずれかに記載の方法。
【請求項１０５】  前記最適化アルゴリズムが誤差拡散であることを特徴とする請求項９８ないし１０４のいずれかに記載の方法。
【請求項１０６】  請求項９８ないし１０５のいずれかに記載の方法により製造されることを特徴とする長手方向格子。
【請求項１０７】  請求項９８ないし１０５のいずれかに記載の方法により製造可能であることを特徴とする長手方向格子。
【請求項１０８】  非周期的であって、また、一組の縦続反復ベースセルを備え、前記ベースセルの少なくとも幾つかが互いに僅かに異なり、少なくとも２つの異種の離散格子要素を備える構造を有することを特徴とする長手方向格子。
【請求項１０９】  少なくとも２つの異種の離散格子要素を備える構造を有し、最短周期が、複数のマーク及び複数のスペースを有するバイナリ通常格子の周期よりも長く、前記マーク及びスペースの長さが長手方向格子の最長の一定領域の長さと同一であることを特徴とする長手方向格子。
【請求項１１０】  非周期的であることを特徴とする請求項１０９に記載の長手方向格子。
【請求項１１１】  請求項１ないし２５、４７ないし５１、９５、９６、１０６及び１１０のいずれかに記載の格子を複数個縦続したことを特徴とする長手方向格子。
【請求項１１２】  非周期構造の少なくとも幾つかが互いに同一であることを特徴とする請求項１１１に記載の格子。
【請求項１１３】  前記非周期構造の全てが互いに同一であることを特徴とする請求項１１２に記載の格子。
【請求項１１４】  前記構造がプログラム可能であり、複数の選択された応答特性の間で切換えを行うことを特徴とする請求項１に記載の格子。
【手続補正２】
【補正対象書類名】明細書
【補正対象項目名】０００３
【補正方法】変更
【補正の内容】
【０００３】
本発明によれば、請求項１に定義した長手方向格子（longitudinal grating）および請求項９８に定義した長手方向格子の製造方法が提供される。
考え得る非周期格子（aperiodic grating）を勘案するとその大部分は有用な応答特性を有しておらず、また、要素数が２〜３を超えるような格子に関しては、通常の知識を有するものが有用な応答特性を有した非周期格子を見つける方法がなかった。従って、有用な応答特性を備えた非周期格子を期待する当業者がいるとは考えられない。